(57)【特許請求の範囲】
【請求項１】
受信ユニットの電力消費を制御する装置であって、
前記受信ユニットは、機器を制御するように構成され、前記受信ユニットは、送信ユニットからの無線又は非無線動作制御信号を受信し、この動作制御信号に応答して、前記機器を制御する無線又は非無線受信ユニットであり、前記機器は、前記送信ユニット及び前記受信ユニットの組み合わせにより遠隔的に制御される製品を含み、
当該装置は、前記機器の状態の検出に応答して、前記受信ユニットの平均電力消費を低減するために前記受信ユニットの前記電力消費を制御する制御器を含み、
当該装置は、更に、前記動作制御信号を受信する受信器を含み、
前記制御器は、前記機器がスイッチオン又はオフにされている場合又は別の状態にある場合に前記受信ユニットをオフにし、前記動作制御信号を受信することに応答して前記受信ユニットをスイッチオンに戻すように構成される、
装置。
【請求項２】
請求項１に記載の装置であって、当該装置は、更なる受信ユニットの電力消費を制御するように構成され、前記更なる受信ユニットは、更なる機器を制御するように構成され、前記制御器は、前記更なる受信ユニットの状態の検出に応答して前記更なる受信ユニットの平均電力消費を低減させるために前記更なる受信ユニットの前記電力消費を制御するように構成される、装置。
【請求項３】
請求項１に記載の装置であって、前記受信ユニットは、ランプ駆動装置の一部、及び／又はランプを含む前記機器、を形成する装置。
【請求項４】
請求項１に記載の装置であって、前記制御器は、無線的に又は非無線的に前記受信ユニットの前記電力消費を制御するために無線又は非無線インターフェイスを介して通信し、及び／又は前記制御器は、物理的に及び／又は論理的に前記受信ユニットの前記電力消費を制御するために物理的及び／又は論理的インターフェイスを介して通信する、装置。
【請求項５】
請求項１に記載の装置であって、当該装置は、前記受信ユニット及び／若しくは前記機器の電力消費、及び／又は前記受信ユニット及び／又は前記機器を流れる電流、及び／又は前記受信ユニット及び／又は前記機器へ供給される電圧を監視するモニタを更に含む、装置。
【請求項６】
請求項１に記載の装置であって、当該装置は、更に、前記動作制御信号の受信に応答して、前記機器の前記状態を検出する検出器を含む、装置。
【請求項７】
請求項１に記載の装置であって、当該装置は、更に、前記動作制御信号を前記受信ユニットへ送信及び／若しくは再送信する送信器を含む、装置。
【請求項８】
請求項１に記載の装置であって、当該装置は、更に、前記動作制御信号を変換信号へ変換する変換器を含む、及び当該装置は、更に、前記変換信号を前記受信ユニットへ送信及び／再送信する送信器を含む、装置。
【請求項９】
請求項８に記載の装置であって、前記制御器は、前記変換信号により前記受信ユニットの前記電力消費を制御するために前記送信器を介して通信する、装置。
【請求項１０】
請求項８に記載の装置であって、当該装置は、更に、前記動作制御信号及び／又は前記変換信号を記憶するメモリを含む、装置。
【請求項１１】
請求項１に記載の装置であって、更に、前記受信ユニットを介して交換されるトラフィックの分析、及び／又は、前記受信ユニット及び／若しくは前記機器の電力消費及び／若しくは前記受信ユニット及び／若しくは前記機器を流れる電流及び／若しくは前記受信ユニット及び／若しくは前記機器へ供給される電圧の分析、に応答して、統計を生成する、及び／又はメッセージを生成する、及び／又は当該装置の振る舞いを適合させる処理器を含む、装置。
【請求項１２】
請求項１に記載の前記装置の電力消費を制御する更なる装置であって、当該更なる装置は、前記装置及び／又は前記受信ユニット及び／又は前記機器の状態の検出に応答して、前記装置の平均電力消費を低減させるために前記装置の前記電力消費を制御する更なる制御器を含む、更なる装置。
【請求項１３】
請求項１２に記載の更なる装置であって、当該更なる装置は、更に、前記動作制御信号を受信する受信器を含み、
当該更なる装置は、
前記機器がスイッチオン又はオフにされている又は別の状態にある場合に、及び／又は
前記受信ユニットがスイッチオン又はオフにされている又は別の状態にある場合に、及び／又は
前記装置がスイッチオン又はオフにされている又は別の状態にある場合に、
前記装置をオフにし、
前記動作制御信号を受信することに応答して前記装置をスイッチオンに戻すように構成される、
更なる装置。
【請求項１４】
請求項１に記載の少なくとも１つの装置を含むシステムであって、当該システムは、更に、請求項１２に記載の少なくとも１つの更なる装置及び／又は少なくとも１つの受信ユニット及び／又は少なくとも１つの機器を含む、システム。
【請求項１５】
装置により受信ユニットの電力消費を制御する方法であって、前記受信ユニットは、機器を制御するように構成され、前記受信ユニットは、送信ユニットからの無線又は非無線動作制御信号を受信し、この動作制御信号に応答して、前記機器を制御する無線又は非無線受信ユニットであり、当該方法は、
前記装置の制御器により、前記機器の状態の検出に応答して、前記受信ユニットの平均電力消費を低減させるために前記受信ユニットの前記電力消費を制御するステップと、
前記装置の受信器により、前記動作制御信号を受信するステップとを含み、前記制御するステップは、前記制御器により、前記機器がスイッチオン又はオフにされている場合又は別の状態にある場合に前記受信ユニットをオフにし、前記動作制御信号を受信することに応答して前記受信ユニットをスイッチオンに戻すステップを含む、
方法。
【発明の詳細な説明】
【技術分野】
【０００１】
本発明は、受信ユニットの電力消費を制御する装置に関する。本発明は、更なる装置、システム及び方法にも関する。
【０００２】
このような受信ユニットの例は、無線又は非無線操作制御信号を受信するユニットであって、これらの無線又は非無線操作制御信号の受信に応答してランプなどの装置並びに他の装置及び製品を制御するユニットである。
【背景技術】
【０００３】
米国特許出願書類第2006/0154598号は、ZigBee（登録商標）無線規格を用いる無線システムを構成及び動作させる方法を開示する。前記方法は、別の無線装置と論理的にリンクされている一群の無線装置が、メッセージに対して低レイテンシで応答することを可能にする。前記方法は、論理的にリンクされた装置へ生成及び発光されたグループ識別子を含み、このグループ識別子の詳細は、事前導入されているビンディングテーブルにおいて提供される。動作において、別の装置へ論理的にリンクされた装置からの無線メッセージは、装置調整器により受信され、この装置調整器は、その後、このメッセージを、生成されるグループ識別子とともに送信する。一致するグループ識別子を以前に受け取った装置のみが、送信メッセージに応答する。送信は、受領確認されないので、急速なシステム応答が達成される。
【発明の概要】
【発明が解決しようとする課題】
【０００４】
本発明の目的は、受信ユニットの電力消費を制御する装置を提供することである。
【０００５】
更なる目的は、更なる装置、システム及び方法を提供することである。
【課題を解決するための手段】
【０００６】
第１の態様に従うと、受信ユニットの電力消費を制御する装置であって、前記受信ユニットは、機器を制御するように構成され、当該装置は、前記機器の状態の検出に応答して、前記受信ユニットの平均電力消費を低減するために前記受信ユニットの前記電力消費を制御する制御器を含む、装置が提供される。
【０００７】
状態は、例えば、機器がスイッチオンされる又はオフにされることなどを示す、機器の現在の状態であり得る。制御器は、受信ユニットの平均電力消費を低減させるためにこの機器の検出された状態に依存して受信ユニットの電力消費を制御する。例えば、機器がスイッチオン（オフ）される場合及び制御器が機器が所定の期間においてスイッチオフ（オン）にされる必要がないことを知っている場合、受信ユニットは、この所定の期間に関してスイッチにオフにされ得る。このことは、受信ユニットの平均電力消費を低減させる。
【０００８】
２つの状態の代わりに、機器は、３つ又はそれ以上の状態を有し得る。現在の状態及びオン／オフ状態以外の状態は、除外されるべきでない。所定の期間についての情報の代わりに、他の情報も、受信ユニットの平均電力消費を低減させるために使用され得る。
【０００９】
一つの実施例において、当該装置は、更なる受信ユニットの電力消費を制御するように構成され、前記更なる受信ユニットは、更なる機器を制御するように構成され、その一方で、前記制御器は、前記更なる受信ユニットの状態の検出に応答して、前記更なる受信ユニットの平均電力消費を低減させるために前記更なる受信ユニットの前記電力消費を制御するように構成される。全体効率は、１つの装置が２つ以上の受信ユニットの電力消費を制御し、装置毎の平均電力消費が低減され得る場合に、更に増加される。
【００１０】
更なる実施例において、前記受信ユニットは、ランプ駆動装置の一部を形成する、及び／又は前記機器は、ランプを含む。機器の状態を検出する検出器は、例えば、光依存抵抗器若しくはフォトダイオード若しくは太陽セル等を含み得る若しくはこれに結合され得、ランプがスイッチオン若しくはオフされる、又は調光モードにあることを検出し得る。このような検出器は、装置の一部を形成し得る。
【００１１】
別の実施例において、前記制御器は、無線的に又は非無線的に前記受信ユニットの前記電力消費を制御するために無線又は非無線インターフェイスを介して通信し、及び／又は前記制御器は、物理的に及び／又は論理的に前記受信ユニットの前記電力消費を制御するために物理的及び／又は論理的インターフェイスを介して通信する。制御器は、例えば、無線電力制御信号を介して無線的な形式で受信ユニットの電力消費を制御し得、この場合、受信ユニットは、このような無線電力制御信号を受信する手段を有するべきである。無線電力制御信号及び無線動作制御信号は、同一又は異なる規格のいずれかにより規定され得る。制御器は、例えば、非無線電力制御信号を介して非無線的な形式で受信ユニットの電力消費を制御し得、この場合、受信ユニットは、このような非無線電力制御信号を受信する手段を有するべきである。非無線電力制御信号及び非無線動作制御信号は、同一又は異なる規格のいずれかにより規定され得る。電力制御信号及び動作制御信号の両方は、無線又は非無線信号であり得、又は、これらのうちの１つが無線信号であり得、他方は非無線信号であり得る、前記制御器は、例えば、前記受信ユニットを流れる電流及び／又は前記受信ユニットへ供給される電圧を制御することなどによって、前記受信ユニットの電力消費を物理的に制御する物理的インターフェイスなどを含み得る。制御器は、例えば、電力制御コマンドを受信ユニットへ送信することによって、例えば、受信ユニットの電力消費を論理的に制御する論理的インターフェイスなどを含み得る。
【００１２】
より更なる実施例において、当該装置は、前記受信ユニット及び／若しくは前記機器の電力消費、及び／又は前記受信ユニット及び／又は前記機器を流れる電流及び／又は前記受信ユニット及び／又は前記機器へ供給される電圧を監視するモニタを更に含む。このようにして、装置は、受信ユニット及び／又は機器についての現在の情報を獲得し得る。
【００１３】
別の実施例において、前記受信ユニットは、送信ユニットからの無線又は非無線動作制御信号の受信に応答して、前記機器を制御する無線又は非無線受信ユニットである。受信ユニットは、いずれかの無線又はいずれかの非無線規格に従い機器を制御し得る。
【００１４】
更に別の実施例において、当該装置は、更に、前記動作制御信号を受信する受信器を含む。このようにして、装置は、動作制御信号を聞くことが可能であり、受信ユニット及び／又は機器についての将来の情報を獲得し得る。
【００１５】
更なる実施例において、当該装置は、更に、前記動作制御信号の受信に応答して、前記機器の前記状態を検出する検出器を含む。この場合、機器の状態は、すぐに導入されるべき将来の状態である。
【００１６】
更なる実施例において、当該装置は、更に、前記動作制御信号を記憶するメモリを含む、及び／又は当該装置は、更に、前記動作制御信号を前記受信ユニットへ送信及び／若しくは再送信する送信器を含む。この選択肢に従うと、装置は、動作制御信号を受信ユニットへ転送する。このことは、受信の直後に、又はある時間間隔の満了後若しくは解除後に、又は受信ユニットが電力供給されること若しくはこの動作制御信号を受信することが可能であることを確認した後に、実行され得る。動作制御信号の送信は、単一の送信、単一の再送信、及び／又は反復される（再）送信などを含み得る。
【００１７】
より更なる実施例において、当該装置は、更に、前記動作制御信号を変換信号へ変換する変換器を含む、及び／又は当該装置は、更に、前記変換信号を記憶するメモリを含む、及び／又は当該装置は、更に、前記変換信号を前記受信ユニットへ送信及び／再送信する送信器を含む。この選択肢に従うと、装置は、動作制御信号を変換し、そして、変換された信号を受信ユニットへ送信する。このことは、受信の直後に、又はある時間間隔の満了後若しくは解除後に、又は受信ユニットが電力供給されること若しくはこの変換信号を受信することが可能であることを確認した後に、実行され得る。変換信号の送信は、単一の送信、単一の再送信、及び／又は反復される（再）送信などを含み得る。
【００１８】
別の実施例において、前記制御器は、前記変換信号により前記受信ユニットの前記電力消費を制御するために前記送信器を介して通信する。この高度に効率的な状況において、変換された信号は、電力制御信号に対応し、制御器は、受信ユニットへの変換信号の送信により受信ユニットの電力消費を制御する。
【００１９】
更に別の実施例において、前記装置は、更に、前記受信ユニットを介して交換されるトラフィックの分析、及び／又は、前記受信ユニットの電力消費及び／若しくは前記受信ユニットを流れる電流及び／若しくは前記受信ユニットへ供給される電圧の分析、に応答して、統計を生成する及び／又はメッセージを生成する及び／又は当該装置の振る舞いを適合させる処理器を含む。装置は、統計、このようなメッセージ及び／又は振る舞いなどを記憶するメモリへ結合される、又はメモリを更に含み得る。
【００２０】
第２の態様に従うと、上述の装置の電力消費を制御する更なる装置が提供され、当該更なる装置は、前記装置及び／又は前記受信ユニット及び／又は前記機器の状態の検出に応答して、前記装置の平均電力消費を低減させるために前記装置の前記電力消費を制御する更なる制御器を含む。このようにして、階層的システムが生成される。機器及び受信ユニットは最下位レベルにおいて設けられ得、装置は中位レベルにおいて設けられ得、更なる装置は最上位レベルにおいて設けられ得る。代替的に、機器は最下位レベルにおいて設けられ得、受信ユニットは低中位レベルにおいて設けられ得、装置は高中位レベルにおいて設けられ得、更なる装置は最上位レベルにおいて設けられ得る。更なる及び他のレベルは除外されるべきでない。
【００２１】
第３の態様に従うと、上述の少なくとも１つの装置を含むシステムが提供され、当該システムは、更に、上述の少なくとも１つの更なる装置及び／又は少なくとも１つの受信ユニット及び／又は少なくとも１つの機器を含む。このようなシステムは、例えば、フロア制御に関してフロア毎に更なる装置を含み、フロア毎に、部屋制御に関して部屋毎に装置を含む、建物などであり得る。
【００２２】
第４の態様に従うと、受信ユニットの電力消費を制御する方法であって、前記受信ユニットは、機器を制御するように構成され、当該方法は、前記機器の状態の検出に応答して、前記受信ユニットの平均電力消費を低減させるために前記受信ユニットの前記電力消費を制御するステップを含む、方法が提供される。
【００２３】
本発明は、（更なる）階層が導入されるべきという認識に基づき得る。基本思想は、装置が、機器の状態の検出に応答して、受信ユニットの平均電力消費を低減させるために機器を制御する受信ユニットの電力消費を制御する制御器を具備されるべきであることである。
【００２４】
本発明に従う装置は、エネルギ消費が低減され得るという有利な点を有する。
【００２５】
本発明のこれら及び他の態様は、上述の実施例から明らかであり、これらを参照にして説明され得る。
【図面の簡単な説明】
【００２６】
【図１】図１は、３つの受信ユニットを制御する装置を示す。
【図２】図２は、２つの装置を制御する更なる装置を示す。
【図３】図３は、装置の第１実施例を示す。
【図４】図４は、装置の第２実施例を示す。
【図５】図５は、装置の第３実施例を示す。
【図６】図６は、装置の第４実施例を示す。
【図７】図７は、更なる装置の第２実施例を示す。
【図８】図８は、更なる装置の第３実施例を示す。
【発明を実施するための形態】
【００２７】
図１は、第１（第２、第３）受信ユニット３（５、７）の電力消費を無線又は非無線リンク１０３（１０５、１０７）を介して制御する装置１を示す。第１（第２、第３）受信ユニット３（５、７）は、通常の非無線又はそうでなければ無線リンク１０４（１０６、１０８）を介して第１（第２、第３）機器４（６、８）を制御する。送信ユニット２は、このリンク１００（１０１、１０２）を介して動作制御信号を送信することによって通常の非無線又はそうでなければ無線リンク１００（１０１、１０２）を介して第１（第２、第３）受信ユニット３（５、７）を制御する。検出器９は、検出リンク１１０（１１１、１１２）を介して第１（第２、第３）機器４（６、８）の状態を検出し、情報リンク１０９を介して装置１へ通知する。
【００２８】
機器４（６、８）は、例えば、ランプ、電気器具、又は、送信ユニット２及び受信ユニット３（５、７）の組合せにより遠隔的に制御される別の製品などを含む。装置１は、機器４（６、８）の状態に依存して受信ユニット３（５、７）の電力消費を制御する。この状態は、「オン」状態、「オフ」状態、調光状態又は他のいずれかの状態であり得る。検出器９は、例えば、光依存抵抗器、フォトダイオード、又は太陽セルなどを含み得る、又は検出器９は、受信ユニット３（５、７）及び／若しくは機器４（６、８）の電力消費、及び／又はこれらを流れる電流及び／又はこれらへ供給される電圧を検出するように構成され得る。
【００２９】
例えば、機器４（６、８）がスイッチオン（オフ）にされる場合であって、装置１が、機器４（６、８）が所定の期間においてスイッチオフ（オン）にされる必要がないことを知っている場合、受信ユニット３（５、７）は、この所定の期間に関してスイッチにオフにされ得る。このことは、受信ユニット３（５、７）の平均電力消費を低減させる。平均電力消費は、１時間、１日、１週間、１ヶ月、１年などの、期間毎の電力消費であり、他の期間を除外することはない。
【００３０】
図２は、無線又は非無線リンク１１３を介して装置１の電力消費を制御し、且つ、無線又は非無線リンク２１３を介して装置１と同様な類似の別の装置２１の電力消費を制御する更なる装置を示す。装置１は、図１を参照して既に説明されるように、リンク１０３・１０５・１０７を介して３つの受信ユニット３・５・７の電力消費を制御する。明確性のために、３つの受信ユニット３・５・７は、３つの機器４・６・８と組み合わせてここで示される一方で、送信ユニット２及び検出器９は省略されており、リンク１０９のみが示されている。装置１と同様に、装置２１は、リンク２０３・２０５・２０７を介して３つの受信ユニット２３・２５・２７の電力消費を制御する。明確性のために、３つの受信ユニット２３・２５・２７は、３つの機器２４・２６・２８と組み合わせてここで示される一方で、送信ユニット２と同様の送信ユニット及び検出器９と同様な検出器は省略されており、リンク２０９のみが示されている。更なる装置１１の電力消費は、無線又は非無線リンク３１３を介して制御され得る。
【００３１】
最低限の状況において、装置１（２１）は、１つの受信ユニット３（５、７）の電力消費のみを制御し、更なる装置１１は、１つの装置１（２１）の電力消費のみを制御し得る。より一般的な状況において、装置１（２１）は、１つより多い受信ユニット３（５、７）の電力消費を制御し、更なる装置１１は、１つより多い装置１（２１）の電力消費を制御し得る。
【００３２】
図３は、装置１の第１の実施例を示す。装置１は、機器４・６・８の状態の検出に応答して、インターフェイス３１及びリンク１０３・１０５・１０７を介して受信ユニット３・５・７の電力消費を制御する制御器３０を有する。この目的のために、装置１は、更に、例えば、リンク１０９を相互接続するインターフェイス３２などを含む。装置１は、例えば、機器４・６・８の状態についての情報を導き出すために、受信ユニット３・５・７及び／又は機器４・６・８の電力消費、及び／又は流れる電流、及び／又は供給される電圧を監視するモニタ３３も含む。代替的に、モニタ３３は、検出器９に統合され得る、又は検出器９は、モニタ３３に統合され得る。装置１は、更に、例えば、受信ユニット３・５・７及び／又は機器４・６・８の電力消費、及び／又は流れる電流、及び／又は供給される電圧の分析に応答して、統計及び／又はメッセージを生成する及び／又は装置１の振る舞いを適合させる処理器３４を含む。このような分析は、処理器３４によって実行され得る、又は、装置１の外部において実行され得る。更に、装置１は、リンク１１３と相互接続するインターフェイス３５を含む。
【００３３】
インターフェイス３１は、無線又は非無線形式で、受信ユニット３・５・７の電力消費を制御するための無線又は非無線インターフェイス３１であり得る。インターフェイス３１は、受信ユニット３・５・７の電力消費を（スイッチを介して）物理的に及び／又は（コマンドを介して）論理的に制御する物理的及び／又は論理的インターフェイス３１であり得る。
【００３４】
図４は、装置１の第２の実施例を示す。この装置１は、この場合、装置１が更に電源ライン３８と相互接続するインターフェイス３７を含むことにおいて図３に示される装置とは相違する。電源ライン３８は、装置１へ電源を供給し、インターフェイス３７は、電源ライン３６を介してインターフェイス３１へ結合される。この場合、インターフェイス３１は、非無線及び物理的インターフェイス３１であり、検出結果に依存して、非無線リンク１０３・１０５・１０７を介して電力を受信ユニット３・５・７へ通過させる又は通過させないようにする。
【００３５】
図５は、装置１の第３の実施例を示す。装置１は、図３を参照して既に説明されるような制御器３０及びインターフェイス３５を含む。装置１は、更に、送信ユニット２と受信ユニット３・５・７との間において（通常無線で又はそうでなければ非無線形式で）交換される動作制御信号を受信する受信器４０を含む。装置１は、これらの動作制御信号の受信に応答して機器４・６・８の状態を検出する検出器４１を更に含み得る。この検出器４１は、図１に示される検出器９に加えて動作し得る、又は、この検出器９の代わりに動作し得る。装置１は、動作制御信号を変換信号へ変換するための変換器４２を更に含み得る、及び／又は装置１は、動作制御信号又は変換信号を受信ユニット３・５・７へ送信する送信器４３を更に含み得る。装置１は、更に、動作制御信号及び／又は変換信号を記憶するメモリ４４を含み得る。動作制御信号及び／又は変換信号は、受信及び／変換の直後に送信され得る、又はある時間間隔の満了後若しくは解除後に、又は受信ユニット３・５・７が電力供給されること若しくはこの動作制御信号を受信することが可能であることを確認した後に、送信され得る。動作制御信号の送信は、単一の送信、単一の再送信、及び／又は反復される（再）送信などを含み得る。制御器３０は、好ましくは、受信ユニット３・５・７の電力消費を制御する送信器４３を介して及び変換信号を介して通信する。装置１は、例えば、送信ユニット２と各受信ユニット３・５・７との間などにおいて、各受信ユニット３・５・７を介して交換されるトラフィックの分析に応答して、統計及び／又はメッセージを生成する、及び／又は装置１の振る舞いを適合させる処理器を更に具備され得る。このような分析は、処理器によって実行され得る、又は、装置１の外部において実行され得る。
【００３６】
機器４（６、８）がスイッチオン又はオフされる又は別の状態にある場合、受信ユニット３（５、７）は、装置１がこの受信ユニット３（５、７）がどのくらいの長さにおいてスイッチオフを維持され得るのかを知っているという条件下において、又は装置１が送信ユニット２と受信ユニット３（５、７）との間において交換される情報へのアクセスを有するという条件下において、エネルギ消費を低減させるために、装置１によってスイッチオフにされ得、これにより、装置１は、送信ユニット２と受信ユニット３（５、７）との間において交換される、新しい動作制御信号などの新しい情報に対して反応し、そしてその後受信ユニット３（５、７）をスイッチオンに戻し得るようにされる。
【００３７】
図６は、更なる装置１１の第１の実施例を示す。更なる装置１１は、装置１・２１及び／又は受信ユニット３・５・７及び／又は機器４・６・８の状態の検出に応答して、インターフェイス５１及びリンク１１３・２１３を介して装置１・２１の電力消費を制御する制御器５０を有する。この目的のために、更なる装置１１は、更に、例えば、リンク３０９を相互接続するインターフェイス５２などを含む。リンク３０９は、リンク１０９に応答し得る、又は、更なる装置１１と装置１・２１を接続する異なるリンクであり得る。更なる装置１１は、例えば、装置１・２１及び／又は受信ユニット３・５・７及び／又は機器４・６・８の状態についての情報を導き出すために、受信ユニット３・５・７及び／又は機器４・６・８の電力消費、及び／又は流れる電流、及び／又は供給される電圧を監視するモニタ５３も含む。代替的に、モニタ５３は、検出器９に統合され得る、又は検出器９は、モニタ５３に統合され得る。更なる装置１１は、更に、例えば、装置１・２１及び／又は受信ユニット３・５・７及び／又は機器４・６・８の電力消費、及び／又は流れる電流、及び／又は供給される電圧の分析に応答して、統計及び／又はメッセージを生成する及び／又は更なる装置１１の振る舞いを適合させる処理器５４を含む。このような分析は、処理器５４によって実行され得る、又は、更なる装置１１の外部において実行され得る。更に、更なる装置１１は、リンク３１３と相互接続するインターフェイス５５を含む。
【００３８】
インターフェイス５１は、無線又は非無線形式で、装置１・２１の電力消費を制御するための無線又は非無線インターフェイス５１であり得る。インターフェイス５１は、装置１・２１の電力消費を（スイッチを介して）物理的に及び／又は（コマンドを介して）論理的に制御する物理的及び／又は論理的インターフェイス５１であり得る。
【００３９】
図７は、更なる装置１１の第２の実施例を示す。この更なる装置１１は、この場合、更なる装置１１が更に電源ライン５８と相互接続するインターフェイス５７を含むことにおいて図６に示される装置とは相違する。電源ライン５８は、更なる装置１１へ電源を供給し、インターフェイス５７は、電源ライン５６を介してインターフェイス５１へ結合される。この場合、インターフェイス５１は、非無線及び物理的インターフェイス５３１であり、検出結果に依存して、非無線リンク１１３・２１３を介して電力を装置１・２１へ通過させる又は通過させないようにする。
【００４０】
図８は、更なる装置１１の第３の実施例を示す。この更なる装置１１は、図６を参照して既に説明されるような制御器５０及びインターフェイス５５を含む。この更なる装置１１は、更に、送信ユニット２と受信ユニット３・５・７との間において（通常無線で又はそうでなければ非無線形式で）交換される動作制御信号を受信する受信器６０を含む。更なる装置１１は、これらの動作制御信号の受信に応答して機器４・６・８の状態を検出する検出器６１を更に含み得る。この検出器６１は、図１に示される検出器９に加えて動作し得る、又は、この検出器９の代わりに動作し得る。更なる装置１１は、動作制御信号を変換信号へ変換するための変換器６２を更に含み得る、及び／又は更なる装置１１は、動作制御信号又は変換信号を、装置１・２１へ、又は場合により装置１・２１を介して受信ユニット３・５・７へ、送信する送信器６３を更に含み得る。更なる装置１１は、更に、動作制御信号及び／又は変換信号を記憶するメモリ６４を含み得る。動作制御信号及び／又は変換信号は、受信及び／変換の直後に、又はある時間間隔の満了後若しくは解除後に、又は装置１・２１及び／又は受信ユニット３・５・７が電力供給されること若しくはこれらの動作制御信号及び／又は変換信号を受信することが可能であることを確認した後に、送信され得る。動作制御信号の送信は、単一の送信、単一の再送信、及び／又は反復される（再）送信などを含み得る。制御器５０は、好ましくは、装置１及び２１の電力消費を制御する送信器６３を介して及び変換信号を介して通信する。更なる装置１１は、受信ユニット３・５・７の電力消費を制御する処理器を介して及び変換信号を介して通信する。更なる装置１１は、例えば、送信ユニット２と各受信ユニット３・５・７との間などにおいて、各受信ユニット３・５・７を介して交換されるトラフィックの分析に応答して、統計及び／又はメッセージを生成する、及び／又は更なる装置１１及び／若しくは装置１及び２１の振る舞いを適合させる処理器を更に具備され得る。このような分析は、処理器によって実行され得る、又は、更なる装置１１の外部において実行され得る。
【００４１】
装置４（６、８）がスイッチオン又はオフされる又は別の状態にある場合、及び／又は、受信ユニット３（５、７）がスイッチオン又はオフされる又は別の状態にある場合、及び／又は、装置１がスイッチオン又はオフされる又は別の状態にある場合、この装置１は、更なる装置１１がこの装置１がどのくらいの長さにおいてスイッチオフを維持され得るのかを知っているという条件下において、又は更なる装置１１が送信ユニット２と受信ユニット３（５、７）との間において交換される情報へのアクセスを有するという条件下において、エネルギ消費を低減させるために、更なる装置１１によってスイッチオフにされ得、これにより、更なる装置１１は、送信ユニット２と受信ユニット３（５、７）との間において交換される、新しい動作制御信号などの新しい情報に対して反応し、そしてその後装置１をスイッチオンに戻し得るようにされる。
【００４２】
システムが、例えば、フロア制御に関するビルのフロア毎に更なる装置、及びフロア毎に、部屋制御に関する部屋毎の装置、を有する場合、電力は、フロアから部屋へのレベルに分配され、最終的に機器へ分配される。これらの機器は、例えば、一体型ZigBee安定器を有する受信ユニットへ結合される光ユニットを含む。全ての設備は、例えば、ZigBeeインターフェイスを介して通信する。各装置は、電力が各装置によって制御される光ユニットの識別子（例えば、ZigBee１６ビットアドレス）のリストを記憶し得る。各装置によって制御されるユニットのリストは、例えば、ZigBee−NWK層DirectJoin方式、及び／又はZigBee−APS層Binding方式、ZigBeeグループ方式、又はいずれかの適切な応用例方式を用いるなどして、事前設定され得る。好ましい実施例において、装置は、ZigBee制御トラフィック及び電源ラインにおける生じている電流消費を同時に分析することによって電力を供給するユニットについて自動的に学習する。この学習段階において、装置は、電源をスイッチオフにすることなく、単に、電力消費を監視する。したがって、動作／スタンバイ電力消費の検出、及び／又は、光ユニット毎の１つの電源ライン＋電力スイッチ／送信ユニット以外の電源ライントポロジの検出も可能である。
【００４３】
装置自体は、ZigBee制御トラフィックを監視することを可能にするために、初期設定として常にオンに維持され得る。光ユニットがスイッチオフである場合、装置は、このユニットへの電源供給をスイッチオフにする。この場合、制御メッセージがZigBeeを介して装置の（現在パワーダウンされている）光ユニットのうちの１つへ送信される場合、装置は、電力をこのユニットへ再び供給する。
【００４４】
装置の役割は、他のコンポーネントへ隠され得る。送信ユニットは、制御メッセージを、制御される受信ユニットへZigBeeを介して直接送信するように構成され得る。装置は、ZigBee「スニファ(sniffer)」として単純に動作し、ユニットへ直接送信されたメッセージを傍受し、制御トラフィック及び電力消費から、制御トラフィック及び特定の光ユニットの電源供給をオン／オフにするかについて結論を出す。
【００４５】
装置自体による電力消費を制限するために、装置は、光ユニットのうちの１つがスイッチオフにされた後にのみ無線を有効にする必要があることが好ましい。全ての光ユニットがオンであり電力供給される一方で、制御器は、（スタンバイ電力制御が特定の光ユニットに関して検出されるまで）電力消費の分析のみに依存し得る。
【００４６】
装置は、プロクシとして作用し得る。装置は、送信ユニットからトラフィックを受信し、このトラフィックを光ユニットへ、光ユニットが電力供給されていることを確認された後に転送し得る。この場合、トラフィックは、例えば、一時的に記憶される必要があり得る。
【００４７】
この機能性は、装置がLONスタイル制御器アプリケーションオブジェクトをホスティングしている場合には明示的にされ得る。光ユニット及びこれらを制御する受信ユニットがZigBeeルータである装置のZEDチルドレンとして構成される場合は黙示的に実現もされ得る。
【００４８】
最適パフォーマンスを保証するために、ZigBee光ユニットへのメッセージは、好ましくは、光ユニットがオフである場合にのみ、装置によって「プロクシ」される必要があり、光ユニットがオンである場合は光ユニットによって直接受信され得る。
【００４９】
装置は、光ユニットに対するインテリジェントプロクシとして作用し得る。装置は、送信ユニットから受信されていたままの制御コマンドを分析し、且つ光ユニットをオンに電源供給して戻すかを決定するために、追加的な論理コンポーネントを用いて構成され得る。このことは、雑音の多い又は故障（光）センサの場合などにおいて、ZigBee制御トラフィックの量及び電力消費の両方を制限するのに役立ち得る。
【００５０】
このようにして、装置のみが電力供給される必要がある。全ての他のZigBeeノードは、アイドル時間において完全にスイッチオフにされ、いかなる電力も消費しない。
【００５１】
装置は、物理的又は論理的電源供給階層を生成し得る。物理的電源供給階層において、装置は、物理的に、例えば、リレーを用いることなどによって、装置（使用される場合、光ユニット又は別のレベルの装置）によって制御されるユニットへ供給される電源を物理的に切断する。論理的電源供給階層において、装置は、電源オン／電源オフコマンドのみを装置によって制御されるユニットへ転送する。
【００５２】
１つの装置の全ての光ユニットがスタンバイへ制御されている場合、装置自体はスタンバイへ変化し、階層において次に高い更なる装置は、スイッチオフにし得る。いくつかの電源供給階層が支持され得る。
【００５３】
各部屋における送信ユニットからのオンコマンドは、フロアを制御する更なる装置によって受信されることになっており、これにより、更なる装置は、これらを受信し、部屋を制御する適切な装置に電源を入れ、そして適切な光ユニットに電源を入れ得るようにされる。フロアを制御する更なる装置は、どの送信ユニットがどの装置の光ユニットを制御するかについての情報を記憶する必要があり得る。この情報は、更なる装置によって制御され得る、又は学習され得る。
【００５４】
装置は、ZigBeeを介してこれらのコマンドを入手する必要はないが、有線接続（例えばイーサネット（登録商標））を通じてこれらコマンドを入手し、有線コマンドをZigBeeコマンドへ翻訳するZigBee制御ノードを有し得る。
【００５５】
装置は、接続された光ユニットの通常の電力消費について学習し、そして、故障又は不良光源の兆候であり得るような、電力消費が急激に変化する場合に、診断メッセージ又は信号を生成し得る。このメッセージは、ＨＩＤランプなどのランプのスタートアップ時間などの所定の振る舞いがしきい値を超えて変化する場合、又はランプが燃焼するのに複数回のスタートを必要とする場合にも、発され、このメッセージは、ランプがまもなく交換される必要があることを示す。
【００５６】
同一の仕組みは、他の種類の応用例に関しても使用され得、異なる無線及び非無線技術が使用され得る。ZigBee技術は、したがって、１つの例のみであり、代替技術は除外されるべきでない。
【００５７】
各インターフェイスは、簡素な接続若しくは結合、より複雑な受動若しくは能動的コンバータ、又は、自身の処理器を有する高度に複雑なインターフェイスであり得る。各制御器は、簡素な非プログラマブル制御器、より複雑なプログラマブル制御器、又は、学習能力を有する高度に複雑な制御器であり得る。各検出器及びモニタは、簡素な比較器、より複雑なフィルタ／計算機、又は、高度に複雑な分析器であり得る。
【００５８】
要約すると、送信ユニット２からの動作制御信号に応答して機器４・６・８を制御するための受信ユニット３・５・７の平均電力消費は、機器４・６・８の状態の検出に応答して受信ユニット３・５・７の電力消費を制御する装置１・２１を導入することによって低減され得る。装置１は、無線、非無線、物理的及び／又は論理形式で、電力消費を制御する制御器３０を含み得る。装置１は、受信ユニット３・５・７及び／又は機器４・６・８における電力消費、電流及び／又は電圧を監視するモニタ３３を含み得る。装置１は、送信される信号により受信ユニット３・５・７の電力消費を制御するために、動作制御信号を受信する受信器４０、機器４・６・８の状態を検出する検出器４１、動作制御信号を変換信号へ変換する変換器４２、動作制御信号又は変換信号を受信ユニット３・５・７へ送信する送信器４３、を含み得、前記送信される信号は、電力制御信号に対応する。
【００５９】
本発明は図面及び上述の記載において詳細に例示及び記述されているが、このような例示及び記述は、例示的にみなされるべき又は制限的でない例としてみなされるべきであり、本発明は、開示される実施例に制限されない。例えば、本発明を、異なる開示された実施例の異なる部分が新しい実施例に組み合わせられるような実施例で作用させることは可能である。
【００６０】
開示の実施例の他の変更態様は、請求項の発明を実施する当業者によって図面、開示及び添付の請求項を検討することにより、理解及び実行され得る。請求項において、「含む・有する」という動詞及びその活用形の使用は、記載される以外の手段又はステップの存在を排除せず、単数形の構成要素は、複数個の斯様な構成要素の存在を排除しない。単一の処理器又は他のユニットが、請求項に記載のいくつかの項目の機能を充足し得る。特定の対策が相互に異なる従属項に記載されているという単なる事実は、これらの対策の組み合わせが有利に使用され得ないということを示さない。計算機プログラムは、他のハードウェアとともに又は一部として供給される光学記憶媒体又はソリッドステート媒体などの適切な媒体において記憶／頒布され得るが、インターネット又は他の有線若しくは無線通信システムを介してなど、他の形態でも頒布され得る。請求項における如何なる参照符号も請求項の範囲を制限するように解釈されてはならない。
【図１】
0006009734.tif 000002
【図２】
0006009734.tif 000003
【図３】
0006009734.tif 000004
【図４】
0006009734.tif 000005
【図５】
0006009734.tif 000006
【図６】
0006009734.tif 000007
【図７】
0006009734.tif 000008
【図８】
0006009734.tif 000009